(57)【特許請求の範囲】
【請求項１】
無線通信システムにおいて、伝送スキームをイネーブルする方法であって、
少なくとも２つの異なるダウンリンク制御情報（ＤＣＩ）フォーマットから選択されたフォーマットを有するＤＣＩを生成すること（６０２）と、
少なくとも２つの伝送スキームから選択された伝送スキームを示すために、前記ＤＣＩの再解釈された情報フィールド（４０２、４０４、５０２Ａ、５０２Ｂ、５０４）の１または複数のビットの値を設定すること（６０４）と、
前記選択された伝送スキームを示すために、デバイスへ前記ＤＣＩを送信すること（６０６）と
を備える方法。
【請求項２】
前記少なくとも２つの伝送スキームは、ビームフォーミングおよび送信ダイバーシティを備える請求項１に記載の方法。
【請求項３】
前記設定することは、
ビームフォーミング伝送スキームを選択するために、前記１または複数のビットを、第１の値に設定することと、
送信ダイバーシティ伝送スキームを選択するために、前記１または複数のビットを、第２の値に設定することと
を備える請求項２に記載の方法。
【請求項４】
前記ＤＣＩは、仮想リソース・ブロック割当のためのスキームを示す１または複数のビットを備える請求項１に記載の方法。
【請求項５】
前記少なくとも２つの異なるＤＣＩフォーマットから選択されたフォーマットは、ＤＣＩフォーマット１Ａを備える請求項１に記載の方法。
【請求項６】
前記伝送スキームは、ビームフォーミングおよび送信ダイバーシティのうちの１つから選択される請求項１に記載の方法。
【請求項７】
無線通信のための装置であって、
少なくとも２つの異なるダウンリンク制御情報（ＤＣＩ）フォーマットから選択されたフォーマットを有するＤＣＩを生成する手段（６０２Ａ）と、
少なくとも２つの伝送スキームから選択された伝送スキームを示すために、前記ＤＣＩの再解釈された情報フィールド（４０２、４０４、５０２Ａ、５０２Ｂ、５０４）の１または複数のビットの値を設定する手段（６０４Ａ）と、
前記選択された伝送スキームを示すために、デバイスへ前記ＤＣＩを送信する手段（６０６Ａ）と
を備える装置。
【請求項８】
前記少なくとも２つの伝送スキームは、ビームフォーミングおよび送信ダイバーシティを備える請求項７に記載の装置。
【請求項９】
前記設定する手段は、
ビームフォーミング伝送スキームを選択するために、前記１または複数のビットを、第１の値に設定する手段と、
送信ダイバーシティ伝送スキームを選択するために、前記１または複数のビットを、第２の値に設定する手段と
を備える請求項８に記載の装置。
【請求項１０】
前記ＤＣＩは、仮想リソース・ブロック割当のためのスキームを示す１または複数のビットを備える請求項７に記載の装置。
【請求項１１】
前記少なくとも２つの異なるＤＣＩフォーマットから選択されたフォーマットは、ＤＣＩフォーマット１Ａを備える請求項７に記載の装置。
【請求項１２】
前記伝送スキームは、ビームフォーミングおよび送信ダイバーシティのうちの１つから選択される請求項７に記載の装置。
【請求項１３】
無線通信システムにおいて、伝送スキームをイネーブルする方法であって、
少なくとも２つのダウンリンク制御情報（ＤＣＩ）フォーマットから選択されたフォーマットを有するＤＣＩを受信すること（７０２）と、
少なくとも２つの伝送スキームから選択される伝送スキームを決定するために、前記ＤＣＩの再解釈された情報フィールド（４０２、４０４、５０２Ａ、５０２Ｂ、５０４）の１ビットまたは複数ビットを復号すること（７０４）と、
前記選択された伝送スキームを用いてデータを送信すること（７０６）と
を備える方法。
【請求項１４】
無線通信のための装置であって、
少なくとも２つのダウンリンク制御情報（ＤＣＩ）フォーマットから選択されたフォーマットを有するＤＣＩを受信する手段（７０２Ａ）と、
少なくとも２つの伝送スキームから選択される伝送スキームを決定するために、前記ＤＣＩの再解釈された情報フィールド（４０２、４０４、５０２Ａ、５０２Ｂ、５０４）の１ビットまたは複数ビットを復号する手段（７０４Ａ）と、
前記選択された伝送スキームを用いてデータを送信する手段（７０６Ａ）と
を備える装置。
【請求項１５】
コンピュータによって実行された場合に請求項１乃至６および１３のうちのいずれか一項に記載の方法を実現するための、格納された命令群を有するコンピュータ読取可能媒体を備える、無線通信のためのコンピュータ・プログラム製品。
【発明の詳細な説明】
【優先権主張】
【０００１】
本特許出願は、本明細書において参照によって明確に組み込まれ、本特許出願の譲受人に譲渡され、２００９年１月１２日に出願された“Ａ  Ｍｅｔｈｏｄ  ａｎｄ  Ａｐｐａｒａｔｕｓ  ｆｏｒ  Ｅｎａｂｌｉｎｇ  Ｍｕｌｔｉｐｌｅ  Ｔｒａｎｓｍｉｓｓｉｏｎ  Ｍｏｄｅｓ  ｉｎ  ａ  Ｗｉｒｅｌｅｓｓ  Ｃｏｍｍｕｎｉｃａｔｉｏｎ  Ｓｙｓｔｅｍ”と題された米国仮特許出願６１／１４４，０８２号の利益を主張する。
【技術分野】
【０００２】
本開示のある態様は、無線通信に関し、さらに詳しくは、無線接続の管理に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システムを含んでいる。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
ＭＩＭＯシステムでは、無線端末は、ある機能をイネーブルするために、いくつかの送信モードのうちの１つが設定されうる。無線端末がモード７に設定される場合、フォーマット１Ａおよびフォーマット１のような２つの可能なＤＣＩフォーマットを用いてダウンリンク制御情報（ＤＣＩ）を受信することができる。現在、おのおののＤＣＩフォーマットは、ある送信スキームに対応することが提案されている。具体的には、送信ダイバーシティ伝送スキームを使用する場合、ＤＣＩフォーマット１Ａが使用され、ビームフォーミング送信スキームの場合、フォーマット１が使用される。しかしながら、おのおのの伝送スキームは、固有の長所および短所を持つ。ビームフォーミング伝送スキームをイネーブルすることが意図された「モード７」設定は、可能なチャネル・フィードバックの不正確さおよびレイテンシを犠牲にして、伝送の指向性およびパフォーマンスを向上するだろう。一方、送信ダイバーシティの伝送スキームは、よりロバストであり、減衰した信号または微弱な信号であっても効率的に利用することができる。
【発明の概要】
【０００８】
ある態様は、無線通信システムにおいて、伝送スキームをイネーブルする方法を提供する。この方法は一般に、少なくとも２つの異なるダウンリンク制御情報（ＤＣＩ）フォーマットから選択されたフォーマットを有するＤＣＩを生成することと、少なくとも２つの伝送スキームから選択された伝送スキームを示すために、ＤＣＩの１または複数のビットの値を設定することと、選択された伝送スキームを示すために、デバイスへＤＣＩを送信することとを含む。
【０００９】
ある態様は、無線通信のための装置を提供する。この装置は一般に、少なくとも２つの異なるダウンリンク制御情報（ＤＣＩ）フォーマットから選択されたフォーマットを有するＤＣＩを生成するように構成された生成器と、少なくとも２つの伝送スキームから選択された伝送スキームを示すために、ＤＣＩの１または複数のビットの値を設定するように構成された回路と、選択された伝送スキームを示すために、デバイスへＤＣＩを送信するように構成された送信機とを含む。
【００１０】
ある態様は、無線通信のための装置を提供する。この装置は一般に、少なくとも２つの異なるダウンリンク制御情報（ＤＣＩ）フォーマットから選択されたフォーマットを有するＤＣＩを生成する手段と、少なくとも２つの伝送スキームから選択された伝送スキームを示すために、ＤＣＩの１または複数のビットの値を設定する手段と、選択された伝送スキームを示すために、デバイスへＤＣＩを送信する手段とを含む。
【００１１】
ある態様は、１または複数のプロセッサによって実行可能な、格納された命令群を有するコンピュータ読取可能媒体を備える、無線通信のためのコンピュータ・プログラム製品を提供する。この命令群は一般に、少なくとも２つの異なるダウンリンク制御情報（ＤＣＩ）フォーマットから選択されたフォーマットを有するＤＣＩを生成するための命令群と、少なくとも２つの伝送スキームから選択された伝送スキームを示すために、ＤＣＩの１または複数のビットの値を設定するための命令群と、選択された伝送スキームを示すために、デバイスへＤＣＩを送信するための命令群とを含む。
【００１２】
ある態様は、無線通信のための装置を提供する。この装置は一般に、少なくとも２つの異なるダウンリンク制御情報（ＤＣＩ）フォーマットから選択されたフォーマットを有するＤＣＩを生成し、少なくとも２つの伝送スキームから選択された伝送スキームを示すために、ＤＣＩの１または複数のビットの値を設定し、選択された伝送スキームを示すために、デバイスへＤＣＩを送信するように構成された少なくとも１つのプロセッサと、少なくとも１つのプロセッサに接続されたメモリとを含む。
【００１３】
ある態様は、無線通信システムにおいて、伝送スキームをイネーブルする方法を提供する。この方法は一般に、少なくとも２つのダウンリンク制御情報（ＤＣＩ）フォーマットから選択されたフォーマットを有するＤＣＩを受信することと、少なくとも２つの伝送スキームから選択される伝送スキームを決定するために、ＤＣＩの１ビットまたは複数ビットを復号することと、選択された伝送スキームを用いてデータを送信することとを含む。
【００１４】
ある態様は、無線通信のための装置を提供する。この装置は一般に、少なくとも２つのダウンリンク制御情報（ＤＣＩ）フォーマットから選択されたフォーマットを有するＤＣＩを受信するように構成された受信機と、少なくとも２つの伝送スキームから選択される伝送スキームを決定するために、ＤＣＩの１ビットまたは複数ビットを復号するように構成されたデコーダと、選択された伝送スキームを用いてデータを送信するように構成された送信機とを含む。
【００１５】
ある態様は、無線通信のための装置を提供する。この装置は一般に、少なくとも２つのダウンリンク制御情報（ＤＣＩ）フォーマットから選択されたフォーマットを有するＤＣＩを受信する手段と、少なくとも２つの伝送スキームから選択される伝送スキームを決定するために、ＤＣＩの１ビットまたは複数ビットを復号する手段と、選択された伝送スキームを用いてデータを送信する手段とを含む。
【００１６】
ある態様は、１または複数のプロセッサによって実行可能な、格納された命令群を有するコンピュータ読取可能媒体を備える、無線通信のためのコンピュータ・プログラム製品を提供する。この命令群は一般に、少なくとも２つのダウンリンク制御情報（ＤＣＩ）フォーマットから選択されたフォーマットを有するＤＣＩを受信するための命令群と、少なくとも２つの伝送スキームから選択される伝送スキームを決定するために、ＤＣＩの１ビットまたは複数ビットを復号するための命令群と、選択された伝送スキームを用いてデータを送信するための命令群とを含む。
【００１７】
ある態様は、無線通信のための装置を提供する。この装置は一般に、少なくとも２つのダウンリンク制御情報（ＤＣＩ）フォーマットから選択されたフォーマットを有するＤＣＩを受信し、少なくとも２つの伝送スキームから選択される伝送スキームを決定するために、ＤＣＩの１ビットまたは複数ビットを復号し、選択された伝送スキームを用いてデータを送信するように構成された少なくとも１つのプロセッサと、少なくとも１つのプロセッサに接続されたメモリとを含む。
【図面の簡単な説明】
【００１８】
本開示の上述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう無線通信システムを例示する。
【図２】図２は、本開示の態様にしたがうアクセス・ポイントおよびユーザ端末の例のブロック図を例示する。
【図３】図３は、本開示のある態様にしたがってユーザ機器によって実行されうる動作例を図示する。
【図３Ａ】図３Ａは、図３で例示された動作を実行することが可能な構成要素の例を図示する。
【図４Ａ】図４Ａは、無線通信のための従来のフォーマットを図示する。
【図４Ｂ】図４Ｂは、本開示のある態様にしたがう無線通信のためのフォーマットの例を図示する。
【図５Ａ】図５Ａは、無線通信のための従来のフォーマットを図示する。
【図５Ｂ】図５Ｂは、本開示のある態様にしたがう無線通信のためのフォーマットの例を図示する。
【図６】図６は、本開示のある態様にしたがってアクセス・ポイントによって実行されうる動作の例を図示する。
【図６Ａ】図６Ａは、図６において図示された動作を実行することが可能な構成要素の例を図示する。
【図７】図７は、本開示のある態様にしたがってアクセス端末によって実行されうる動作例を図示する。
【図７Ａ】図７Ａは、図７において例示された動作を実行することが可能な構成要素の例を図示する。
【発明を実施するための形態】
【００１９】
本開示のさまざまな態様は、添付図面を参照して以下により十分に記載される。しかしながら、本開示は、異なる多くの形態で具体化され、本開示を通じて示されたいかなる具体的な構成または機能にも限定されると解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外が追加された構成および機能を用いて実現されるこのような装置または方法をカバーすることが意図されている。本明細書で示された開示のあらゆる態様は、特許請求の範囲の１または複数の要素によって具体化されうる。
【００２０】
「典型的である」という単語は「例、事例、あるいは実例として役立つ」ことを意味するために本明細書で使用される。本明細書において「典型的」と記載されるいかなる態様も、他の態様に対して好適であるとか、有利であると必ずしも解釈される必要はない。
【００２１】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、そのうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２２】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）および低チップ・レート（ＬＣＲ）を含んでいる。ｃｄｍａ２０００はＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現することができる。ＯＦＤＭＡネットワークは、イボルブドＵＴＲＡ（Ｅ−ＵＴＲＡ）、ＩＥＥＥ  ８０２．１６、ＩＥＥＥ  ８０２．１６、ＩＥＥＥ  ８０２．２０、フラッシュＯＦＤＭ（登録商標）などのようなラジオ技術を実現することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２３】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）または発展型ＵＴＲＡにおけるアップリンク多元接続スキームのために動作していると仮定されている。
【００２４】
図１を参照して、１つの実施形態にしたがった多元接続無線通信システムが例示される。アクセス・ポイント１００（ＡＰ）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために異なる周波数を使用することができる。例えば、順方向リンク１２０は、逆方向リンク１１８によって使用されるものとは異なる周波数を使用しうる。
【００２５】
通信するように設計された領域および／またはアンテナのおのおののグループはしばしば、アクセス・ポイントのセクタと称される。実施形態では、アンテナ・グループはおのおの、アクセス・ポイント１００によってカバーされている領域のセクタ内のアクセス端末と通信するように設計されている。
【００２６】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２７】
アクセス・ポイントは、端末と通信するために使用される固定局であり、アクセス・ポイント、ノードＢ、あるいはその他幾つかの専門用語でも称されうる。アクセス端末はまた、アクセス端末、ユーザ機器（ＵＥ）、無線通信デバイス、端末、アクセス端末、あるいはその他いくつかの専門用語で称されうる。
【００２８】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００２９】
実施形態では、おのおののデータ・ストリームが、それぞれの送信アンテナを介して送信される。ＴＸデータ・プロセッサ２１４は、おのおののデータ・ストリームのトラフィック・データ・ストリームをフォーマットし、このデータ・ストリームのために選択された特定の符号化スキームに基づいて符号化し、インタリーブして、符号化されたデータを提供する。
【００３０】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。各データ・ストリームの多重化されたパイロットおよび符号化されたデータは、その後、データ・ストリームのために選択された特定の変調スキーム（例えば、ＢＰＳＫ、ＱＳＰＫ、Ｍ−ＰＳＫ、またはＭ−ＱＡＭ）に基づいて変調され（すなわち、シンボル・マップされ）、変調シンボルが提供される。おのおののデータ・ストリームのデータ・レート、符号化、および変調は、プロセッサ２３０によって実行される命令群によって決定されうる。
【００３１】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００３２】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００３３】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３４】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出された各シンボル・ストリームを復調、デインタリーブ、および復号し、データ・ストリームのトラフィック・データが復元される。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３５】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。
【００３６】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３７】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されることにより、受信機システム２５０によって送信された逆方向リンク・メッセージが抽出される。さらに、プロセッサ２３０は、ビームフォーミング重みを決定するためにどの事前符号化行列を使用するかを決定するために、この抽出されたメッセージを処理する。
【００３８】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルが、ユーザ情報の転送のために、１つのＵＥに専用のポイント・トゥ・ポイント双方向チャネルである専用トラフィック・チャネル（ＤＴＣＨ）を備える。トラフィック・データを送信するためのポイント・トゥ・マルチポイントＤＬチャネルのためのマルチキャスト・トラフィック・チャネル（ＭＴＣＨ）。
【００３９】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００４０】
ＤＬ  ＰＨＹチャネルは、例えば、共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有チャネル（ＤＬ−ＰＳＤＣＨ）、ＵＬ電力制御チャネル（ＵＰＣＣＨ）、ページング・インジケータ・チャネル（ＰＩＣＨ）、および負荷インジケータ・チャネル（ＬＩＣＨ）を備える。
【００４１】
ＵＬ  ＰＨＹチャネルは、例えば、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、およびブロードバンド・パイロット・チャネル（ＢＰＩＣＨ）を備える。
【００４２】
態様では、シングル・キャリア波形の低ＰＡＲ（所与の時間において、チャネルは、周波数において隣接しているか、あるいは一定の間隔をもって配置されている）特性を維持するチャネル構造が提供される。
【００４３】
（制御情報を用いてマルチ伝送モードをイネーブルすること）  
本開示のある態様によって、伝送スキームが指定されるようになる。ある態様によれば、伝送スキームは、異なるサーチ空間を用いて指定されうる。例えば、ＵＥは、共通のサーチ空間およびＵＥ特有のサーチ空間をモニタすることが要求されうる。ＵＥは、特定の伝送モード（例えば、モード７）を利用し、時間のほとんどにおいて、ビームフォーミングを利用するように意識的に設定されうる。その結果、ある態様によれば、ＵＥが、共通のサーチ空間において、ＤＬ制御情報（ＤＣＩ）を受信した場合、ＤＣＩは、送信ダイバーシティを用いて送信されるだろう。そうではない場合、ＤＣＩは、ビームフォーミングを用いて送信されうる。
【００４４】
ある態様によれば、ダウンリンク制御情報（ＤＣＩ）をあるフォーマットで送信する場合、伝送スキームが明示的に示されうる。ある態様によれば、従来のＤＣＩフォーマットのうちの１または複数のビットが、受信エンティティによって使用されるべき伝送スキームを示すために使用される。サポートされた伝送スキームは、例えば、ダイバーシティまたはビームフォーミングの何れかを送信しうる。
【００４５】
送信ダイバーシティ・スキームは、予備動作と同様に、ロバスト性を達成するために利用されうる。複数のＤＣＩフォーマットが、同じＵＥに関連付けられている場合、１つのＤＣＩフォーマットしか、伝送スキームに関する明示的なインジケーションを備えない。他方のＤＣＩフォーマットは、変わらないままであり、ビームフォーミング伝送スキームを示すためにのみ利用される。
【００４６】
図３は、異なるサーチ空間においてＤＣＩを伝送する場合、伝送スキームを示すために、例えばアクセス端末によって実行されうる動作例を図示する。
【００４７】
これら動作は、３０２において、複数のサーチ空間をモニタリングすることによって開始される。サーチ空間は、複数のリソース要素（ＲＥ）および共通制御要素（ＣＣＥ）を含む領域である。サーチ空間は、共通のサーチ空間、および、アクセス端末特有（またはＵＥ特有）のサーチ空間として分類されうる。共通のサーチ空間は、領域内のすべてのアクセス端末によってモニタされうる。アクセス端末特有のサーチ空間は、少なくとも１つのアクセス端末によってモニタリングされうる。共通のサーチ空間およびアクセス端末特有のサーチ空間は、互いにオーバラップしうる。１つの実施形態では、アクセス端末は、共通のサーチ空間およびアクセス端末特有のサーチ空間の両方をモニタリングすることが要求されうる。
【００４８】
３０４では、ＡＴが、複数のサーチ空間のうちの１つで制御情報（ＣＩ）を受信する。アクセス端末は、ダウンリンク・スケジューリング情報またはアップリンク・スケジューリング情報を伝送するためにＣＩを使用しうる。１つの実施形態では、アクセス端末は、物理ダウンリンク制御チャネル（ＰＤＣＣＨ）によってダウンリンク制御情報（ＤＣＩ）を受信しうる。
【００４９】
３０６では、アクセス端末が、ＣＩが受信されたサーチ空間に基づいて、伝送スキームを用いてデータを送信しうる。１つの実施形態では、アクセス端末は、デフォルトの伝送スキームとして、ビームフォーミング伝送スキームを用いるように構成されうる。アクセス端末は、共通のサーチ空間でＣＩを受信した場合、送信ダイバーシティの伝送スキームを用いてデータを送信しうる。アクセス端末が、例えば、アクセス端末特有のサーチ空間のような別のサーチ空間においてＣＩを受信すると、アクセス端末は、ビームフォーミング伝送スキームを用いてデータの送信を再開する。
【００５０】
ここで示された開示の実施形態の１つの実施形態では、異なる伝送スキームをイネーブルする方法は、伝送スキームを示すために、ＣＩフォーマット内の少なくとも１または複数の値を再解釈することを備えうる。
【００５１】
図４Ａおよび図５Ａは、ダウンリンク制御情報（ＤＣＩ）のためのフォーマットを図示する。１つの実施形態では、制御情報のフォーマットは、空間多重化が使用されていない場合、ダウンリンク共有チャネル・リソースの割当における使用に適切でありうる。別の実施形態では、適切なフォーマットは、空間多重化が使用されていない場合、ダウンリンク共有チャネル・リソースの割当のために使用されるコンパクトなフォーマットでありうる。例示された実施形態では、制御情報のフォーマットは、図４Ａおよび図５Ａにそれぞれ図示するようなダウンリンク制御情報フォーマット１Ａ、１でありうる。
【００５２】
図４Ａに示すように、本開示の実施形態では、ＤＣＩフォーマット１Ａは、伝送スキームを示すのに適切ないくつかの情報フィールドを備えうる。１つの実施形態では、４０２において示されるように、１ビットの局在化／分散仮想リソース・ブロック（ＶＲＢ）割当フラグが使用されうる。１つの実施形態では、局在化／分散ＶＲＢ割当フラグが、第１の値に設定され、送信ダイバーシティ伝送スキームが示される。同様に、局在化／分散ＶＲＢ割当フラグが、第２の値に設定され、ビームフォーミング伝送スキームが示される。１つの実施形態では、第１の値は０でありうる。一方、第２の値は、定められた非ゼロ値に等しい。
【００５３】
ＤＣＩフォーマットにおける情報フィールドの再解釈によって、機能の柔軟性が失われることが考慮される。１つの実施形態では、伝送スキームを示す際に使用される局在化／分散ＶＲＢ割当フラグを再解釈することによって、局在化ＶＲＢリソース割当と、分散ＶＲＢリソース割当との間の動的な切換を示す柔軟性が失われうる。しかしながら、このような切換は、１つの実施形態では、より高次のレイヤ・シグナリング用いる準静的なアプローチを用いてなされうる。別の実施形態では、局在化ＶＲＢまたは分散ＶＲＢのうちの何れかを用いる固定ＶＲＢスキームが指定されうる。
【００５４】
図４Ｂは、本開示の態様にしたがう修正ＤＣＩのフォーマットを図示する。
【００５５】
１つの実施形態では、修正ＤＣＩフォーマット１Ａは、１ビットの局在化／分散ＶＲＢ割当フラグの代わりに、４０４で示されているように、伝送スキームを示すための１ビットのフラグを備えうる。
【００５６】
図５Ａに示すように、本開示の実施形態では、ＤＣＩフォーマット１は、伝送スキームを示すために適切ないくつかの情報フィールドを備えうる。１つの実施形態では、５ビットを備える変調および符号化スキーム情報フィールド５０２Ａが使用されうる。図５Ｂに示すように、１つの実施形態では、変調および符号化スキーム情報フィールドが、ここでは４ビットを備えている変調および符号化スキーム情報フィールド５０２Ｂと、１ビットを備えている伝送スキーム・フラグ５０４とに分割されうる。伝送スキーム・フラグ５０４は、送信ダイバーシティ伝送スキームを示す第１の値に設定され、ビームフォーミング伝送スキームを示す第２の値に設定されうる。
【００５７】
伝送スキームを示すために、ＤＣＩフォーマット内の別の情報フィールドが使用されうることが考慮される。また、再解釈された情報フィールドが、１ビットまたはそれよりも多いビットを備えうることも考慮される。さらに、少なくとも伝送スキームと、伝送スキームに関連する他の情報とを示すために、複数の値が使用されうることが考慮される。
【００５８】
図６は、マルチ伝送モードをイネーブルするためにアクセス・ポイントによって実行されうる動作例を図示する。例示された動作は、例えば、図１および図２を参照して上述されたＡＰのような任意の適切な構成要素によって実行されうる。
【００５９】
この動作６００は、ダウンリンク制御情報（ＤＣＩ）を生成することによって、６０２で開示される。ここで、ＤＣＩは、少なくとも２つのＤＣＩフォーマットから選択されたフォーマットを有する。１つの実施形態では、図４Ａおよび図４Ｂ、図５Ａおよび図５Ｂにおいて記載および例示されているように、フォーマットは、少なくともＤＣＩフォーマット１およびＤＣＩフォーマット１Ａから選択されうる。例えば、ＤＣＩフォーマット０またはＤＣＩフォーマット２のようなその他のＤＣＩフォーマットが適切でありうることが考慮される。
【００６０】
６０４では、アクセス・ポイントが、伝送スキームを示すために、ＤＣＩの１または複数のビットの値を設定しうる。この伝送スキームは、少なくとも２つの伝送スキームから選択される。１つの実施形態では、選択に適切な伝送スキームは、ビームフォーミングおよび送信ダイバーシティである。
【００６１】
６０６では、アクセス・ポイントが、選択された伝送スキームを示すために、例えば他のアクセス・ポイントまたはアクセス端末のような要素へＤＣＩを送信しうる。
【００６２】
図７は、マルチ伝送モードをイネーブルするためにアクセス端末によって実行されうる動作例を図示する。例示された動作は、例えば、図１および図２を参照して上述されたＡＰのような任意の適切な構成要素によって実行されうる。
【００６３】
動作７００は、ＤＣＩを受信することによって、７０２で開始される。ＤＣＩは、少なくとも２つのＤＣＩフォーマットから選択されたフォーマットを有する。１つの実施形態では、フォーマットは、少なくともＤＣＩフォーマット１およびＤＣＩフォーマット１Ａから選択されうる。
【００６４】
７０４では、アクセス端末が。少なくとも２つの伝送スキームから、選択される伝送スキームを決定するために、ＤＣＩの１または複数のビットを復号しうる。上述したように、１つの実施形態では、伝送スキームは、ビームフォーミングおよび送信ダイバーシティを備えうる。１つの実施形態では、図４Ａおよび図４Ｂに示すように、ＤＣＩフォーマット１ＡにおけるＤＣＩの局在化／分散ＶＲＢリソース・フラグに関連する１または複数のビットの非ヌル値は、ビームフォーミング伝送スキームを示しうる。逆に、１つの実施形態では、局在化／分散ＶＲＢリソース・フラグに関連する１または複数のビットにおけるヌル値が、送信ダイバーシティ伝送スキームを示しうる。
【００６５】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００６６】
当業者であれば、情報および信号は、さまざまな異なる技術および技法のうちの何れかを用いて表されうることを理解するであろう。例えば、上記記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【００６７】
当業者であればさらに、本明細書で開示された実施形態に関連して記載された例示的なさまざまな論理ブロック、モジュール、回路、およびアルゴリズム・ステップは、電子ハードウェア、コンピュータ・ソフトウェア、またはこれら両方の組み合わせとして実現されうることを認識するであろう。ハードウェアとソフトウェアとのこの相互置換性を明確に例示するために、例示的なさまざまな構成要素、ブロック、モジュール、回路、およびステップが、これらの機能の観点から一般に上述された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方法で上述した機能を実現することができる。しかしながら、この適用判断は、本発明の範囲からの逸脱をもたらすものと解釈されるべきではない。
【００６８】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサはマイクロプロセッサでありうるが、代替例では、このプロセッサは、従来の任意のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００６９】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術で周知のその他任意の形態の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在することができる。ＡＳＩＣは、ユーザ端末内に存在することもできる。あるいはプロセッサと記憶媒体とは、ユーザ端末内のディスクリート部品として存在することができる。
【００７０】
開示された実施形態の上記記載は、当業者をして、本開示の製造または利用を可能とするように提供される。これら実施形態に対する様々な変形例もまた、当業者には明らかであって、本明細書で定義された一般的な原理は、本開示の主旨または範囲から逸脱することなく他の例にも適用されうる。このように、本発明は、本明細書で示された実施形態に限定されるものではなく、本明細書で開示された原理および新規な特徴に一致した最も広い範囲に相当することが意図されている。
【００７１】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
なお、以下に、出願当初の特許請求の範囲に記載された発明を付記する。
［Ｃ１］無線通信システムにおいて、伝送スキームをイネーブルする方法であって、
少なくとも２つの異なるダウンリンク制御情報（ＤＣＩ）フォーマットから選択されたフォーマットを有するＤＣＩを生成することと、
少なくとも２つの伝送スキームから選択された伝送スキームを示すために、前記ＤＣＩの１または複数のビットの値を設定することと、
前記選択された伝送スキームを示すために、デバイスへ前記ＤＣＩを送信することと
を備える方法。
［Ｃ２］前記少なくとも２つの伝送スキームは、ビームフォーミングおよび送信ダイバーシティを備えるＣ１に記載の方法。
［Ｃ３］前記設定することは、
ビームフォーミング伝送スキームを選択するために、前記１または複数のビットを、第１の値に設定することと、
送信ダイバーシティ伝送スキームを選択するために、前記１または複数のビットを、第２の値に設定することと
を備えるＣ２に記載の方法。
［Ｃ４］前記ＤＣＩは、仮想リソース・ブロック割当のためのスキームを示す１または複数のビットを備えるＣ１に記載の方法。
［Ｃ５］前記少なくとも２つの異なるＤＣＩフォーマットから選択されたフォーマットは、ＤＣＩフォーマット１Ａを備えるＣ１に記載の方法。
［Ｃ６］前記伝送スキームは、ビームフォーミングおよび送信ダイバーシティのうちの１つから選択されるＣ１に記載の方法。
［Ｃ７］ビームフォーミング伝送スキームを示すために、前記少なくとも２つの異なるＤＣＩフォーマットから、別のフォーマットのＤＣＩを送信することをさらに備えるＣ１に記載の方法。
［Ｃ８］無線通信のための装置であって、
少なくとも２つの異なるダウンリンク制御情報（ＤＣＩ）フォーマットから選択されたフォーマットを有するＤＣＩを生成するように構成された生成器と、
少なくとも２つの伝送スキームから選択された伝送スキームを示すために、前記ＤＣＩの１または複数のビットの値を設定するように構成された回路と、
前記選択された伝送スキームを示すために、デバイスへ前記ＤＣＩを送信するように構成された送信機と
を備える装置。
［Ｃ９］前記少なくとも２つの伝送スキームは、ビームフォーミングおよび送信ダイバーシティを備えるＣ８に記載の装置。
［Ｃ１０］前記回路はまた、ビームフォーミング伝送スキームを選択するために、前記１または複数のビットを、第１の値に設定し、送信ダイバーシティ伝送スキームを選択するために、前記１または複数のビットを、第２の値に設定するように構成されたＣ９に記載の装置。
［Ｃ１１］前記ＤＣＩは、仮想リソース・ブロック割当のためのスキームを示す１または複数のビットを備えるＣ８に記載の装置。
［Ｃ１２］前記少なくとも２つの異なるＤＣＩフォーマットから選択されたフォーマットは、ＤＣＩフォーマット１Ａを備えるＣ８に記載の装置。
［Ｃ１３］前記伝送スキームは、ビームフォーミングおよび送信ダイバーシティのうちの１つから選択されるＣ８に記載の装置。
［Ｃ１４］前記送信機はさらに、ビームフォーミング伝送スキームを示すために、前記少なくとも２つの異なるＤＣＩフォーマットから、別のフォーマットのＤＣＩを送信するように構成されたＣ８に記載の装置。
［Ｃ１５］無線通信のための装置であって、
少なくとも２つの異なるダウンリンク制御情報（ＤＣＩ）フォーマットから選択されたフォーマットを有するＤＣＩを生成する手段と、
少なくとも２つの伝送スキームから選択された伝送スキームを示すために、前記ＤＣＩの１または複数のビットの値を設定する手段と、
前記選択された伝送スキームを示すために、デバイスへ前記ＤＣＩを送信する手段と
を備える装置。
［Ｃ１６］前記少なくとも２つの伝送スキームは、ビームフォーミングおよび送信ダイバーシティを備えるＣ１５に記載の装置。
［Ｃ１７］前記設定する手段は、
ビームフォーミング伝送スキームを選択するために、前記１または複数のビットを、第１の値に設定する手段と、
送信ダイバーシティ伝送スキームを選択するために、前記１または複数のビットを、第２の値に設定する手段と
を備えるＣ１６に記載の装置。
［Ｃ１８］前記ＤＣＩは、仮想リソース・ブロック割当のためのスキームを示す１または複数のビットを備えるＣ１５に記載の装置。
［Ｃ１９］前記少なくとも２つの異なるＤＣＩフォーマットから選択されたフォーマットは、ＤＣＩフォーマット１Ａを備えるＣ１５に記載の装置。
［Ｃ２０］前記伝送スキームは、ビームフォーミングおよび送信ダイバーシティのうちの１つから選択されるＣ１５に記載の装置。
［Ｃ２１］前記送信する手段はさらに、ビームフォーミング伝送スキームを示すために、前記少なくとも２つの異なるＤＣＩフォーマットから、別のフォーマットのＤＣＩを送信するように構成されたＣ１５に記載の装置。
［Ｃ２２］１または複数のプロセッサによって実行可能な、格納された命令群を有するコンピュータ読取可能媒体を備える、無線通信のためのコンピュータ・プログラム製品であって、
前記命令群は、
少なくとも２つの異なるダウンリンク制御情報（ＤＣＩ）フォーマットから選択されたフォーマットを有するＤＣＩを生成するための命令群と、
少なくとも２つの伝送スキームから選択された伝送スキームを示すために、前記ＤＣＩの１または複数のビットの値を設定するための命令群と、
前記選択された伝送スキームを示すために、デバイスへ前記ＤＣＩを送信するための命令群と
を備えるコンピュータ・プログラム製品。
［Ｃ２３］前記少なくとも２つの伝送スキームは、ビームフォーミングおよび送信ダイバーシティを備えるＣ２２に記載のコンピュータ・プログラム製品。
［Ｃ２４］前記命令群はさらに、
ビームフォーミング伝送スキームを選択するために、前記１または複数のビットを、第１の値に設定するための命令群と、
送信ダイバーシティ伝送スキームを選択するために、前記１または複数のビットを、第２の値に設定するための命令群と
を備えるＣ２３に記載のコンピュータ・プログラム製品。
［Ｃ２５］前記ＤＣＩは、仮想リソース・ブロック割当のためのスキームを示す１または複数のビットを備えるＣ２２に記載のコンピュータ・プログラム製品。
［Ｃ２６］前記少なくとも２つの異なるＤＣＩフォーマットから選択されたフォーマットは、ＤＣＩフォーマット１Ａを備えるＣ２２に記載のコンピュータ・プログラム製品。
［Ｃ２７］前記伝送スキームは、ビームフォーミングおよび送信ダイバーシティのうちの１つから選択されるＣ２２に記載のコンピュータ・プログラム製品。
［Ｃ２８］前記命令群はさらに、ビームフォーミング伝送スキームを示すために、前記少なくとも２つの異なるＤＣＩフォーマットから、別のフォーマットのＤＣＩを送信するための命令群をさらに備えるＣ２２に記載のコンピュータ・プログラム製品。
［Ｃ２９］無線通信のための装置であって、
少なくとも２つの異なるダウンリンク制御情報（ＤＣＩ）フォーマットから選択されたフォーマットを有するＤＣＩを生成し、少なくとも２つの伝送スキームから選択された伝送スキームを示すために、前記ＤＣＩの１または複数のビットの値を設定し、前記選択された伝送スキームを示すために、デバイスへ前記ＤＣＩを送信するように構成された少なくとも１つのプロセッサと、
前記少なくとも１つのプロセッサに接続されたメモリと
を備える装置。
［Ｃ３０］前記少なくとも２つの伝送スキームは、ビームフォーミングおよび送信ダイバーシティを備えるＣ２９に記載の装置。
［Ｃ３１］前記プロセッサはさらに、ビームフォーミング伝送スキームを選択するために、前記１または複数のビットを、第１の値に設定し、送信ダイバーシティ伝送スキームを選択するために、前記１または複数のビットを、第２の値に設定するように構成されたＣ３０に記載の装置。
［Ｃ３２］前記ＤＣＩは、仮想リソース・ブロック割当のためのスキームを示す１または複数のビットを備えるＣ２９に記載の装置。
［Ｃ３３］前記少なくとも２つの異なるＤＣＩフォーマットから選択されたフォーマットは、ＤＣＩフォーマット１Ａを備えるＣ２９に記載の装置。
［Ｃ３４］前記伝送スキームは、ビームフォーミングおよび送信ダイバーシティのうちの１つから選択されるＣ２９に記載の装置。
［Ｃ３５］前記プロセッサはさらに、
ビームフォーミング伝送スキームを示すために、前記少なくとも２つの異なるＤＣＩフォーマットから、別のフォーマットのＤＣＩを送信するように構成されたＣ２９に記載の装置。
［Ｃ３６］無線通信システムにおいて、伝送スキームをイネーブルする方法であって、
少なくとも２つのダウンリンク制御情報（ＤＣＩ）フォーマットから選択されたフォーマットを有するＤＣＩを受信することと、
少なくとも２つの伝送スキームから選択される伝送スキームを決定するために、前記ＤＣＩの１ビットまたは複数ビットを復号することと、
前記選択された伝送スキームを用いてデータを送信することと
を備える方法。
［Ｃ３７］少なくとも２つのＤＣＩフォーマットから、別のフォーマットのＤＣＩを受信することと、
前記別のフォーマットのＤＣＩに応答して、ビームフォーミング伝送スキームを用いてデータを送信することと
をさらに備えるＣ３６に記載の方法。
［Ｃ３８］無線通信のための装置であって、
少なくとも２つのダウンリンク制御情報（ＤＣＩ）フォーマットから選択されたフォーマットを有するＤＣＩを受信するように構成された受信機と、
少なくとも２つの伝送スキームから選択される伝送スキームを決定するために、前記ＤＣＩの１ビットまたは複数ビットを復号するように構成されたデコーダと、
前記選択された伝送スキームを用いてデータを送信するように構成された送信機と
を備える装置。
［Ｃ３９］前記受信機はまた、少なくとも２つのＤＣＩフォーマットから、別のフォーマットのＤＣＩを受信するように構成され、
前記送信機はまた、前記別のフォーマットのＤＣＩに応答して、ビームフォーミング伝送スキームを用いてデータを送信するように構成されたＣ３８に記載の装置。
［Ｃ４０］無線通信のための装置であって、
少なくとも２つのダウンリンク制御情報（ＤＣＩ）フォーマットから選択されたフォーマットを有するＤＣＩを受信する手段と、
少なくとも２つの伝送スキームから選択される伝送スキームを決定するために、前記ＤＣＩの１ビットまたは複数ビットを復号する手段と、
前記選択された伝送スキームを用いてデータを送信する手段と
を備える装置。
［Ｃ４１］前記受信する手段はさらに、少なくとも２つのＤＣＩフォーマットから、別のフォーマットのＤＣＩを受信するように構成され、
前記送信する手段はさらに、前記別のフォーマットのＤＣＩに応答して、ビームフォーミング伝送スキームを用いてデータを送信するように構成されたＣ４０に記載の装置。
［Ｃ４２］１または複数のプロセッサによって実行可能な、格納された命令群を有するコンピュータ読取可能媒体を備える、無線通信のためのコンピュータ・プログラム製品であって、
前記命令群は、
少なくとも２つのダウンリンク制御情報（ＤＣＩ）フォーマットから選択されたフォーマットを有するＤＣＩを受信するための命令群と、
少なくとも２つの伝送スキームから選択される伝送スキームを決定するために、前記ＤＣＩの１ビットまたは複数ビットを復号するための命令群と、
前記選択された伝送スキームを用いてデータを送信するための命令群とを備える
コンピュータ・プログラム製品。
［Ｃ４３］前記命令群はさらに、
少なくとも２つのＤＣＩフォーマットから、別のフォーマットのＤＣＩを受信するための命令群と、
前記別のフォーマットのＤＣＩに応答して、ビームフォーミング伝送スキームを用いてデータを送信するための命令群と
を備えるＣ４２に記載のコンピュータ・プログラム製品
［Ｃ４４］無線通信のための装置であって、
少なくとも２つのダウンリンク制御情報（ＤＣＩ）フォーマットから選択されたフォーマットを有するＤＣＩを受信し、少なくとも２つの伝送スキームから選択される伝送スキームを決定するために、前記ＤＣＩの１ビットまたは複数ビットを復号し、前記選択された伝送スキームを用いてデータを送信するように構成された少なくとも１つのプロセッサと、
前記少なくとも１つのプロセッサに接続されたメモリと
を備える装置。
［Ｃ４５］前記プロセッサはさらに、少なくとも２つのＤＣＩフォーマットから、別のフォーマットのＤＣＩを受信し、前記別のフォーマットのＤＣＩに応答して、ビームフォーミング伝送スキームを用いてデータを送信するように構成されたＣ４４に記載の装置。
【図１】
0005635176.tif 000002
【図２】
0005635176.tif 000003
【図３】
0005635176.tif 000004
【図３Ａ】
0005635176.tif 000005
【図４Ａ】
0005635176.tif 000006
【図４Ｂ】
0005635176.tif 000007
【図５Ａ】
0005635176.tif 000008
【図５Ｂ】
0005635176.tif 000009
【図６】
0005635176.tif 000010
【図６Ａ】
0005635176.tif 000011
【図７】
0005635176.tif 000012
【図７Ａ】
0005635176.tif 000013